【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号装置において、
飛び越し走査に対応した直交変換方式（フィールド直交変換モード）により直交変換がされた上記圧縮画像データの直交変換ブロックに対して、逆直交変換をする第１の逆直交変換手段と、
順次走査に対応した直交変換方式（フレーム直交変換モード）により直交変換がされた上記圧縮画像データの直交変換ブロックに対して、逆直交変換をする第２の逆直交変換手段とを備え、上記第２の逆直交変換手段は、上記直交変換ブロックの全周波数成分の係数に対して逆直交変換をし、逆直交変換をした直交変換ブロックの各画素を飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をした２つの画素ブロックを合成して直交変換ブロックを生成する第１の画像復号部と、
上記第１の逆直交変換手段は、上記直交変換ブロックの各係数のうち低周波成分の係数に対して逆直交変換をする第２の画像復号部とを有し、
飛び越し走査方式の動画像信号が符号化された第１の解像度の圧縮画像データが入力された場合には、上記第１の画像復号部により第２の解像度の動画像データを復号し、順次走査方式の動画像信号が符号化された第１の解像度の圧縮画像データが入力された場合には、上記第２の画像復号部により第２の解像度の動画像データを復号することを特徴とする画像復号装置。
【請求項２】
上記第１の逆直交変換手段は、上記直交変換ブロックの各係数のうち低周波成分の係数に対して逆直交変換をし、逆直交変換をして得られたトップフィールドの各画素の垂直方向に対して１／４画素分の位相補正をし、逆直交変換をして得られたボトムフィールドの各画素の垂直方向に対して３／４画素分の位相補正をし、
上記第２の逆直交変換手段は、上記直交変換ブロックの全周波数成分の係数に対して逆直交変換をし、逆直交変換をした直交変換ブロックを飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をして得られたトップフィールドの各画素の垂直方向に対して１／４画素分の位相補正をし、逆直交変換をして得られたボトムフィールドの各画素の垂直方向に対して３／４画素分の位相補正をし、位相補正をしたトップフィールドとボトムフィールドとを合成する手段とを備えることを特徴とする請求項１に記載の画像復号装置。
【請求項３】
所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号方法において、
飛び越し走査方式の動画像信号が符号化された第１の解像度の圧縮画像データが入力された場合には、飛び越し走査に対応した直交変換方式（フィールド直交変換モード）により直交変換がされた上記圧縮画像データの直交変換ブロックに対して、逆直交変換をし、
順次走査に対応した直交変換方式（フレーム直交変換モード）により直交変換がされた上記圧縮画像データの直交変換ブロックに対して、逆直交変換をし、
フレーム直交変換モードにより直交変換がされた上記直交変換ブロックの全周波数成分の係数に対して逆直交変換をし、逆直交変換をした直交変換ブロックの各画素を飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をした２つの画素ブロックを合成して直交変換ブロックを生成し、順次走査方式の動画像信号が符号化された第１の解像度の圧縮画像データが入力された場合には、上記直交変換ブロックの各係数のうち低周波成分の係数に対して逆直交変換をすることを特徴とする画像復号方法。
【請求項４】
所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号方法において、
飛び越し走査方式の動画像信号が符号化された第１の解像度の圧縮画像データが入力された場合には、飛び越し走査に対応した直交変換方式（フィールド直交変換モード）により直交変換がされた上記圧縮画像データの直交変換ブロックに対して、逆直交変換をし、順次走査に対応した直交変換方式（フレーム直交変換モード）により直交変換がされた上記圧縮画像データの直交変換ブロックに対して、逆直交変換をし、フィールド直交変換モードにより直交変換がされた直交変換ブロックの各係数のうち低周波成分の係数に対して逆直交変換をし、逆直交変換をして得られたトップフィールドの各画素の垂直方向に対して１／４画素分の位相補正をし、逆直交変換をして得られたボトムフィールドの各画素の垂直方向に対して３／４画素分の位相補正をし、フレーム直交変換モードにより直交変換ブロックの全周波数成分の係数に対して逆直交変換をし、逆直交変換をした直交変換ブロックを飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をして得られたトップフィールドの各画素の垂直方向に対して１／４画素分の位相補正をし、逆直交変換をして得られたボトムフィールドの各画素の垂直方向に対して３／４画素分の位相補正をし、位相補正をしたトップフィールドとボトムフィールドとを合成し、順次走査方式の動画像信号が符号化された第１の解像度の圧縮画像データが入力された場合には、上記直交変換ブロックの各係数のうち低周波成分の係数に対して逆直交変換をすることを特徴とする画像復号方法。
【手続補正２】
【補正対象書類名】明細書
【補正対象項目名】００２９
【補正方法】変更
【補正の内容】
【００２９】
【課題を解決するための手段】
本発明に係る画像復号装置は、所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号装置において、飛び越し走査に対応した直交変換方式（フィールド直交変換モード）により直交変換がされた上記圧縮画像データの直交変換ブロックに対して、逆直交変換をする第１の逆直交変換手段と、順次走査に対応した直交変換方式（フレーム直交変換モード）により直交変換がされた上記圧縮画像データの直交変換ブロックに対して、逆直交変換をする第２の逆直交変換手段とを備え、上記第２の逆直交変換手段は、上記直交変換ブロックの全周波数成分の係数に対して逆直交変換をし、逆直交変換をした直交変換ブロックの各画素を飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をした２つの画素ブロックを合成して直交変換ブロックを生成する第１の画像復号部と、上記第１の逆直交変換手段は、上記直交変換ブロックの各係数のうち低周波成分の係数に対して逆直交変換をする第２の画像復号部とを有し、飛び越し走査方式の動画像信号が符号化された第１の解像度の圧縮画像データが入力された場合には、上記第１の画像復号部により第２の解像度の動画像データを復号し、順次走査方式の動画像信号が符号化された第１の解像度の圧縮画像データが入力された場合には、上記第２の画像復号部により第２の解像度の動画像データを復号することを特徴とする。
【手続補正３】
【補正対象書類名】明細書
【補正対象項目名】００３１
【補正方法】変更
【補正の内容】
【００３１】
また、本発明に係る画像復号装置は、上記第１の逆直交変換手段は、上記直交変換ブロックの各係数のうち低周波成分の係数に対して逆直交変換をし、逆直交変換をして得られたトップフィールドの各画素の垂直方向に対して１／４画素分の位相補正をし、逆直交変換をして得られたボトムフィールドの各画素の垂直方向に対して３／４画素分の位相補正をし、上記第２の逆直交変換手段は、上記直交変換ブロックの全周波数成分の係数に対して逆直交変換をし、逆直交変換をした直交変換ブロックを飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をして得られたトップフィールドの各画素の垂直方向に対して１／４画素分の位相補正をし、逆直交変換をして得られたボトムフィールドの各画素の垂直方向に対して３／４画素分の位相補正をし、位相補正をしたトップフィールドとボトムフィールドとを合成する手段とを備えることを特徴とする。
【手続補正４】
【補正対象書類名】明細書
【補正対象項目名】００３３
【補正方法】変更
【補正の内容】
【００３３】
本発明に係る画像復号方法は、所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号方法において、飛び越し走査方式の動画像信号が符号化された第１の解像度の圧縮画像データが入力された場合には、飛び越し走査に対応した直交変換方式（フィールド直交変換モード）により直交変換がされた上記圧縮画像データの直交変換ブロックに対して、逆直交変換をし、順次走査に対応した直交変換方式（フレーム直交変換モード）により直交変換がされた上記圧縮画像データの直交変換ブロックに対して、逆直交変換をし、フレーム直交変換モードにより直交変換がされた上記直交変換ブロックの全周波数成分の係数に対して逆直交変換をし、逆直交変換をした直交変換ブロックの各画素を飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をした２つの画素ブロックを合成して直交変換ブロックを生成し、順次走査方式の動画像信号が符号化された第１の解像度の圧縮画像データが入力された場合には、上記直交変換ブロックの各係数のうち低周波成分の係数に対して逆直交変換をすることを特徴とする。
【手続補正５】
【補正対象書類名】明細書
【補正対象項目名】００３５
【補正方法】変更
【補正の内容】
【００３５】
また、本発明に係る画像復号方法は、所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号方法において、飛び越し走査方式の動画像信号が符号化された第１の解像度の圧縮画像データが入力された場合には、飛び越し走査に対応した直交変換方式（フィールド直交変換モード）により直交変換がされた上記圧縮画像データの直交変換ブロックに対して、逆直交変換をし、順次走査に対応した直交変換方式（フレーム直交変換モード）により直交変換がされた上記圧縮画像データの直交変換ブロックに対して、逆直交変換をし、フィールド直交変換モードにより直交変換がされた直交変換ブロックの各係数のうち低周波成分の係数に対して逆直交変換をし、逆直交変換をして得られたトップフィールドの各画素の垂直方向に対して１／４画素分の位相補正をし、逆直交変換をして得られたボトムフィールドの各画素の垂直方向に対して３／４画素分の位相補正をし、フレーム直交変換モードにより直交変換ブロックの全周波数成分の係数に対して逆直交変換をし、逆直交変換をした直交変換ブロックを飛び越し走査に対応した２つの画素ブロックに分離し、分離した２つの画素ブロックに対してそれぞれ直交変換をし、直交変換をした２つの画素ブロックの各係数のうち低周波成分の係数に対して逆直交変換をし、逆直交変換をして得られたトップフィールドの各画素の垂直方向に対して１／４画素分の位相補正をし、逆直交変換をして得られたボトムフィールドの各画素の垂直方向に対して３／４画素分の位相補正をし、位相補正をしたトップフィールドとボトムフィールドとを合成し、順次走査方式の動画像信号が符号化された第１の解像度の圧縮画像データが入力された場合には、上記直交変換ブロックの各係数のうち低周波成分の係数に対して逆直交変換をすることを特徴とする。